(57)【要約】【課題】気圧棒によるコストの増加を改善した高さが調整可能なテーブルを提供する。【解決手段】左足２、右足３が、テーブル１の支柱になり、左足２の先端の取り付け板２１によって、テーブルの面板４底部に固定される。右足３の平行管３１上端は、取り付け板６１によって、テーブル面板４の底部に固定され、取り付け板６１は、ケース管５が取り付けられる。ケース管５にはそれぞれ中が空洞で、伸縮する内バー６がある。ケース管５の上方は、伸縮スプリング７の一端に固定されている。伸縮スプリング７の末端は、内バー６の末端に固定されている。また、両ケース管５の間には、平行に調整装置８が取り付けられている。ントロールバー８４の露出した一端は、レバーブロック８６によってコントロールされる。そのレバーブロック８６は、取り付け板６１に固定されている。レバーブロック８６を上に引くと、制限なく、テーブルの高さを調節可能である。【選択図】　　図３
0003097252.tif 000002
【実用新案登録請求の範囲】
【請求項１】
交差接続によるＡユニットの左右の足は、テーブルの支柱となり、
左足の先端に設けられている接続するための取り付け板によって、テーブルの面板底部に固定され、
右足の平行管上端は、それぞれ相対する取り付け板によって、テーブル面板の底部に固定され、
取り付け板は、ケース管が取り付けられ、そのケース管にはそれぞれ中が空洞で、伸縮する内バーが設けられ、ケース管の上方は、伸縮スプリングの一端に固定され、伸縮スプリングの末端は、内バーの末端に固定され、
両ケース管の間には、平行に調整装置が取り付けられ、その調整装置は、外管の内部に内管を有し、内管の先端はスロープに成形され、内管の内部は、スプリング、コントロールバーが前後に並び、そのスプリングは、コントロールバーが中に納まり、ストッパーリングによって制限を受け、コントロールバーの先端には、前導輪が取り付けられ、スロープに沿って、かたよった動きで外管の内壁を移動して止まり、このコントロールバーの露出した一端は、レバーブロックによってコントロールされ、そのレバーブロックは、取り付け板に固定され、
レバーブロックを上に引くと、前導輪が前に移動し、外管の内壁から離れ、自由に動くので、制限なく、テーブルの高さを調節可能であることを特徴とする高さが調整可能なテーブル。
【考案の詳細な説明】
【０００１】
【考案の属する技術分野】
本考案は、高さが調整可能なテーブルに関する。
【０００２】
【従来の技術】
現在、市場に出まわっているテーブルの調整方式は、公告番号４３７３３８の「調整可能なテーブルの構造」のように、主に、交差接続ユニットの二本の足によって支えている。そのうち、一本の足は、その先端が取り付け板によって、テーブル底部の中心からやや外側に固定されている。もう一方の足の先端は、スライド板に固定されている。そのスライド板の中ほどに気圧棒があって、この気圧棒の伸縮支柱末端は、テーブル底部のもう一方の側に固定された定位板になっている。その定位板は、コントロールのための柄があって。気圧棒の開閉を制御して、テーブルの高さを調整できるようになっている。
【０００３】
【考案が解決しようとする課題】
しかしながら、添付資料１の構造は、気圧棒によってテーブルの高さを調節するため、以下のような欠点が認められる。
気圧棒のコストが高く、価格面での競争において、優位に立つことがむずかしい。
気圧棒には一定の使用年限があり、一旦気圧棒が壊れた時、気圧棒を取り替えて修理するには、コストがかかり過ぎ、わりに合わないため、廃棄することになる。
気圧棒を採用したテーブルは、収納する際、できるだけ体積を小さくして、かさばらないようにしてもある程度の高さがある。このため、運搬の時、包装材が増加することになる。運送コストの増加は、価格に直接反映して値段が高くなる。
【０００４】
したがって本考案の目的は、気圧棒によるコストの増加を改善した高さが調整可能なテーブルを提供することにある。
【０００５】
【課題を解決するための手段】
上述の目的を達成するために、本考案の請求項に記載の高さが調整可能なテーブルは、交差接続によるＡユニットの左右の足は、テーブルの支柱となる。左足の先端に設けられている接続するための取り付け板によって、テーブルの面板底部に固定される。右足の平行管上端は、それぞれ相対する取り付け板によって、テーブル面板の底部に固定される。取り付け板は、ケース管が取り付けられ、そのケース管にはそれぞれ中が空洞で、伸縮する内バーが設けられる。ケース管の上方は、伸縮スプリングの一端に固定され、伸縮スプリングの末端は、内バーの末端に固定される。また、両ケース管の間には、平行に調整装置が取り付けられ、その調整装置は、外管の内部に内管を有する。内管の先端はスロープに成形され、内管の内部は、スプリング、コントロールバーが前後に並ぶ。そのスプリングは、コントロールバーが中に納まり、ストッパーリングによって制限を受ける。コントロールバーの先端には、前導輪が取り付けられ、スロープに沿って、かたよった動きで外管の内壁を移動して止まる。このコントロールバーの露出した一端は、レバーブロックによってコントロールされる。レバーブロックは、取り付け板に固定される。レバーブロックを引き倒すことにより、前導輪を前に移動させ、外管の内壁から離して、自由に動くので、制限なく、テーブルの高さを調節することができる。必要に応じて、自在にテーブルの高さを変えられる上、調整の際は、全く時間を取らず、スピーディー、且つ、簡単である。最も低い位置まで調整すると、コンパクトになり、収納や包装、運搬の際に極めて便利であり、運送コストの節約が可能である。
【０００６】
【考案の実施の形態】
以下、本考案の実施例を図面に基づいて説明する。
図１、図２、図３、図４に示すように、本考案の実施例による高さが調整可能なテーブルは、交差接続によるＡユニットの、左足２、右足３が、テーブル１の支柱になる。そして、左足２の先端にある、接続するための取り付け板２１によって、テーブルの面板４底部に固定される。右足３の平行管３１上端は、それぞれ、相対する取り付け板６１によって、テーブル面板４の底部に固定される。取り付け板６１は、ケース管５が取り付けられる。ケース管５にはそれぞれ中が空洞で、伸縮する内バー６がある。ケース管５の上方は、伸縮スプリング７の一端に固定されている。伸縮スプリング７の末端は、内バー６の末端に固定されている。また、両ケース管５の間には、平行に調整装置８が取り付けられている。その調整装置８は、外管８１の内部に内管８２があって、内管８２の先端はスロープ８２１になっていて、内管８２の内部は、スプリング８３、コントロールバー８４が前後に並んでいる。そのスプリング８３は、コントロールバー８４が中に納まって、ストッパーリング８７によって制限を受ける。コントロールバー８４の先端には、前導輪８５が取り付けられていて、スロープ８２１に沿って、かたよった動きで外管８１の内壁を移動して止まる（図５参照）。このコントロールバー８４の露出した一端は、レバーブロック８６によってコントロールされる。そのレバーブロック８６は、取り付け板６１に固定されている。
【０００７】
さらに、図６、図７に示すように、レバーブロック８６を上に引くと、前導輪８５が前に移動し、外管８１の内壁から離れ、自由に動くので、制限なく、テーブルの高さを調節可能である。必要に応じて、自在にテーブルの高さを変えられる上、調整の際は、全く時間を取らず、スピーディー、且つ、簡単である。そして、取り付け板６１の適度な位置に、回転ねじ６１１が取り付けられていて、テーブル１を最も低い位置まで調整した時、回転ねじ６１１は、左足２に引っかかって止まり、レバーブロック８６に触って、テーブル１が急に上に上がるのを防いでいる。テーブル１を最も低い位置まで調整すると図８に示すように、テーブル１の体積は最も小さくなる。
【０００８】
図９は、本考案の、もう一つの実施例の立体分解図である。本実施例の調整装置８は、水平に設置する以外に、縦に取り付けることも可能である。さらに、図１０は、もう一つの実施例の、テーブル面を下降させた時の立体外観図である。そして、図１１は、もう一つの実施例の、テーブル面を上昇させた時の立体外観図である。これは、簡単に応用が利く例である。
【０００９】
【考案の効果】
本考案の高さが調整可能なテーブルは、必要に応じて、自在にテーブルの高さを変えられる上、調整の際は、全く時間を取らず、スピーディー、且つ、簡単である。最も低い位置まで調整すると、コンパクトになり、収納や包装、運搬の際に極めて便利であり、運送コストの節約が可能で、経済的な効果に優れている。
【図面の簡単な説明】
【図１】本考案の実施例による高さが調整可能なテーブルを展開した時の、立体外観図である。
【図２】本考案の実施例による高さが調整可能なテーブルを、下から見た斜視図である。
【図３】本考案の実施例による高さが調整可能なテーブルを示す立体分解図である。
【図４】本考案の実施例による高さが調整可能なテーブルの調整装置の組み立て断面図である。
【図５】本実施例による調整装置が止まった時の、局部を拡大して示す断面図である。
【図６】本実施例によるレバーブロックが引き上げられた時の局部を拡大して示す図である。
【図７】本実施例によるレバーブロックが引上げられた時の局部を拡大して示す断面図である。
【図８】本考案の実施例による高さが調整可能なテーブルを畳んだ時の状況を示す断面図である。
【図９】本考案の高さが調整可能なテーブルのもう一つの実施例を示す立体分解図である。
【図１０】本考案の高さが調整可能なテーブルのもう一つの実施例の、テーブル面を下降させた時の立体外観図である。
【図１１】本考案の高さが調整可能なテーブルの、もう一つの実施例の、テーブル面を上昇させた時の立体外観図である。
【符号の説明】
１　　テーブル
２　　左足
３　　右足
４　　テーブルの面板
５　　　ケース管
６　　内バー
７　　伸縮スプリング
８　　調整装置
２１　　取り付け板
３１　　平行管
６１　　取り付け板
８１　　外管
８２　　内管
８３　　スプリング
８４　　コントロールバー
８５　　前導輪
８６　　レバーブロック
８７　　ストッパーリング
６１１　　回転ねじ
８２１　　スロープ
Ａ　　交差接続
【図１】
0003097252.tif 000003
【図２】
0003097252.tif 000004
【図３】
0003097252.tif 000005
【図４】
0003097252.tif 000006
【図５】
0003097252.tif 000007
【図６】
0003097252.tif 000008
【図７】
0003097252.tif 000009
【図８】
0003097252.tif 000010
【図９】
0003097252.tif 000011
【図１０】
0003097252.tif 000012
【図１１】
0003097252.tif 000013